【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
ユーザデバイス上でのメディアアセットの提示の間に前記ユーザデバイスの近傍に表示するための補助コンテンツを選択するための方法であって、前記方法は、
前記ユーザデバイス上での前記メディアアセットの提示の間、１つ以上のフレームを監視することと、
前記メディアアセットの提示の間、前記メディアアセット内の新しい場面を示すフレームを選択することと、
前記選択されたフレーム内に表されるオブジェクトおよび場所のうちの少なくとも１つを識別することと、
前記オブジェクトおよび前記場所のうちの前記少なくとも１つと関連付けられたプロット情報を決定することと、
データベースから、前記プロット情報に基づいて、前記メディアアセットに付随する補助コンテンツを識別することと、
投影デバイスに、前記メディアアセットの提示の間に前記ユーザデバイスの近傍に表示するための補助コンテンツを伝送することと
を含む、方法。
【請求項２】
前記選択されたフレーム内に表されるオブジェクトおよび場所のうちの少なくとも１つを識別することは、
前記選択されたフレーム内のキー特徴を識別することと、
前記識別されたキー特徴とオブジェクトデータベースとを比較することと、
前記比較に基づいて、前記選択されたフレーム内に表されるオブジェクトを識別することと、
前記選択されたフレーム内のオブジェクトに基づいてアクションデータベースを検索することと、
前記選択されたフレーム内で生じるアクションを識別することであって、前記アクションは、前記オブジェクトと関連付けられる、ことと
を含む、請求項１に記載の方法。
【請求項３】
前記オブジェクトおよび前記場所のうちの前記少なくとも１つと関連付けられたプロット情報を決定することはさらに、
プロット情報データベースを検索し、前記オブジェクトおよび前記場所のうちの前記少なくとも１つならびに前記選択されたフレーム内で生じる前記アクションと関連付けられたプロット情報を識別することであって、前記プロット情報は、前記選択されたフレームのプロットを説明するキーワードを含む、ことと、
前記オブジェクトおよび前記場所のうちの前記少なくとも１つならびに前記アクションと関連付けられた共通キーワードを決定することと、
前記共通キーワードに基づいて、識別されたプロット情報を決定することと
を含む、請求項２に記載の方法。
【請求項４】
前記選択されたフレーム内に表されるオブジェクトおよび場所のうちの少なくとも１つを識別することは、
前記選択されたフレーム内のキー特徴を識別することと、
前記識別されたキー特徴とオブジェクトデータベースとを比較することと、
前記比較に基づいて、前記選択されたフレーム内のオブジェクトを識別することと、
前記オブジェクトと関連付けられた場所に関して、場所データベースを検索することと、
前記オブジェクトと関連付けられた場所に基づいて、前記選択されたフレーム内の場所を識別することと
を含む、請求項１に記載の方法。
【請求項５】
前記選択されたフレーム内に表されるオブジェクトおよび場所のうちの少なくとも１つを識別することは、
前記選択されたフレーム内のキー特徴を識別することと、
前記選択されたフレームのキー特徴と場所データベースとを比較することであって、前記場所データベースは、場所の表現の分析を含む、ことと、
前記選択されたフレームのキー特徴と前記場所の表現の分析の比較に基づいて、前記選択されたフレーム内に表される場所を決定することと
を含む、請求項１に記載の方法。
【請求項６】
前記オブジェクトおよび前記場所のうちの前記少なくとも１つと関連付けられたプロット情報を決定することはさらに、
前記選択されたフレームと関連付けられたメタデータを読み出すことであって、前記メタデータは、前記選択されたフレームと関連付けられたクローズドキャプションデータおよびタグのうちの１つを含む、ことと、
前記オブジェクトおよび前記場所ならびに前記メタデータと関連付けられたプロット情報に関して、プロット情報データベースを検索することであって、前記プロット情報は、前記選択されたフレームのプロットを説明するキーワードを含む、ことと
を含む、請求項１に記載の方法。
【請求項７】
新しい補助コンテンツを前記選択されたフレームの一部から作成することと、
前記新しい補助コンテンツを、前記オブジェクトおよび前記場所のうちの前記少なくとも１つと関連付けられた共通キーワードとともに、前記データベース内に記憶することと
をさらに含む、請求項１に記載の方法。
【請求項８】
前記投影デバイスに、前記メディアアセットの提示の間に前記ユーザデバイスの近傍に表示するための補助コンテンツを伝送することはさらに、スピーカに、音のセットを伝送することを含み、前記補助コンテンツは、前記ユーザデバイスの近傍に表示するための画像および前記音のセットを含む、請求項１に記載の方法。
【請求項９】
前記メディアアセットの提示の間、次の場面を示す次のフレームを選択することと、
前記選択されたフレームおよび前記選択された次のフレームに基づいて、前記新しい場面の持続時間を決定することと
をさらに含む、請求項１に記載の方法。
【請求項１０】
前記投影デバイスに、前記メディアアセットの提示の間に前記ユーザデバイスの近傍に表示するための補助コンテンツを伝送することはさらに、前記投影デバイスに、前記新しい場面の持続時間のための補助コンテンツを伝送することを含む、請求項９に記載の方法。
【手続補正２】
【補正対象書類名】明細書
【補正対象項目名】００２８
【補正方法】変更
【補正の内容】
【００２８】
前述のシステム、方法、装置、および／または側面は、本開示に説明される他のシステム、方法、装置、および／または側面に適用される、またはそれに従って使用されてもよいことに留意されたい。
本発明は、例えば、以下を提供する。
（項目１）
ユーザデバイス上でのメディアアセットの提示の間に前記ユーザデバイスの近傍に表示するための補助コンテンツを選択するための方法であって、前記方法は、
前記ユーザデバイス上での前記メディアアセットの提示の間、１つ以上のフレームを監視することと、
前記メディアアセットの提示の間、前記メディアアセット内の新しい場面を示すフレームを選択することと、
前記選択されたフレーム内に表されるオブジェクトおよび場所のうちの少なくとも１つを識別することと、
前記オブジェクトおよび前記場所のうちの前記少なくとも１つと関連付けられたプロット情報を決定することと、
データベースから、前記プロット情報に基づいて、前記メディアアセットに付随する補助コンテンツを識別することと、
投影デバイスに、前記メディアアセットの提示の間に前記ユーザデバイスの近傍に表示するための補助コンテンツを伝送することと
を含む、方法。
（項目２）
前記選択されたフレーム内に表されるオブジェクトおよび場所のうちの少なくとも１つを識別することは、
前記選択されたフレーム内のキー特徴を識別することと、
前記識別されたキー特徴とオブジェクトデータベースとを比較することと、
前記比較に基づいて、前記選択されたフレーム内に表されるオブジェクトを識別することと、
前記選択されたフレーム内のオブジェクトに基づいてアクションデータベースを検索することと、
前記選択されたフレーム内で生じるアクションを識別することであって、前記アクションは、前記オブジェクトと関連付けられる、ことと
を含む、項目１に記載の方法。
（項目３）
前記オブジェクトおよび前記場所のうちの前記少なくとも１つと関連付けられたプロット情報を決定することはさらに、
プロット情報データベースを検索し、前記オブジェクトおよび前記場所のうちの前記少なくとも１つならびに前記選択されたフレーム内で生じる前記アクションと関連付けられたプロット情報を識別することであって、前記プロット情報は、前記選択されたフレームのプロットを説明するキーワードを含む、ことと、
前記オブジェクトおよび前記場所のうちの前記少なくとも１つならびに前記アクションと関連付けられた共通キーワードを決定することと、
前記共通キーワードに基づいて、識別されたプロット情報を決定することと
を含む、項目２に記載の方法。
（項目４）
前記選択されたフレーム内に表されるオブジェクトおよび場所のうちの少なくとも１つを識別することは、
前記選択されたフレーム内のキー特徴を識別することと、
前記識別されたキー特徴とオブジェクトデータベースとを比較することと、
前記比較に基づいて、前記選択されたフレーム内のオブジェクトを識別することと、
前記オブジェクトと関連付けられた場所に関して、場所データベースを検索することと、
前記オブジェクトと関連付けられた場所に基づいて、前記選択されたフレーム内の場所を識別することと
を含む、項目１に記載の方法。
（項目５）
前記選択されたフレーム内に表されるオブジェクトおよび場所のうちの少なくとも１つを識別することは、
前記選択されたフレーム内のキー特徴を識別することと、
前記選択されたフレームのキー特徴と場所データベースとを比較することであって、前記場所データベースは、場所の表現の分析を含む、ことと、
前記選択されたフレームのキー特徴と前記場所の表現の分析の比較に基づいて、前記選択されたフレーム内に表される場所を決定することと
を含む、項目１に記載の方法。
（項目６）
前記オブジェクトおよび前記場所のうちの前記少なくとも１つと関連付けられたプロット情報を決定することはさらに、
前記選択されたフレームと関連付けられたメタデータを読み出すことであって、前記メタデータは、前記選択されたフレームと関連付けられたクローズドキャプションデータおよびタグのうちの１つを含む、ことと、
前記オブジェクトおよび前記場所ならびに前記メタデータと関連付けられたプロット情報に関して、プロット情報データベースを検索することであって、前記プロット情報は、前記選択されたフレームのプロットを説明するキーワードを含む、ことと
を含む、項目１に記載の方法。
（項目７）
新しい補助コンテンツを前記選択されたフレームの一部から作成することと、
前記新しい補助コンテンツを、前記オブジェクトおよび前記場所のうちの前記少なくとも１つと関連付けられた共通キーワードとともに、前記データベース内に記憶することと
をさらに含む、項目１に記載の方法。
（項目８）
前記投影デバイスに、前記メディアアセットの提示の間に前記ユーザデバイスの近傍に表示するための補助コンテンツを伝送することはさらに、スピーカに、音のセットを伝送することを含み、前記補助コンテンツは、前記ユーザデバイスの近傍に表示するための画像および前記音のセットを含む、項目１に記載の方法。
（項目９）
前記メディアアセットの提示の間、次の場面を示す次のフレームを選択することと、
前記選択されたフレームおよび前記選択された次のフレームに基づいて、前記新しい場面の持続時間を決定することと
をさらに含む、項目１に記載の方法。
（項目１０）
前記投影デバイスに、前記メディアアセットの提示の間に前記ユーザデバイスの近傍に表示するための補助コンテンツを伝送することはさらに、前記投影デバイスに、前記新しい場面の持続時間のための補助コンテンツを伝送することを含む、項目９に記載の方法。
（項目１１）
ユーザデバイス上でのメディアアセットの提示の間に前記ユーザデバイスの近傍に表示するための補助コンテンツを選択するためのシステムであって、前記システムは、
前記ユーザデバイス上での前記メディアアセットの提示の間、１つ以上のフレームを監視することと、
前記メディアアセットの提示の間、前記メディアアセット内の新しい場面を示すフレームを選択することと、
前記選択されたフレーム内に表されるオブジェクトおよび場所のうちの少なくとも１つを識別することと、
前記オブジェクトおよび前記場所のうちの前記少なくとも１つと関連付けられたプロット情報を決定することと、
データベースから、前記プロット情報に基づいて、前記メディアアセットに付随する補助コンテンツを識別することと、
投影デバイスに、前記メディアアセットの提示の間に前記ユーザデバイスの近傍に表示するための補助コンテンツを伝送することと
を行うように構成される、制御回路を備える、システム。
（項目１２）
前記選択されたフレーム内に表されるオブジェクトおよび場所のうちの少なくとも１つを識別するように構成される、前記制御回路はさらに、
前記選択されたフレーム内のキー特徴を識別することと、
前記識別されたキー特徴とオブジェクトデータベースとを比較することと、
前記比較に基づいて、前記選択されたフレーム内のオブジェクトを識別することと、
前記選択されたフレーム内のオブジェクトに基づいてアクションデータベースを検索することと、
前記選択されたフレーム内で生じるアクションを識別することであって、前記アクションは、前記オブジェクトと関連付けられる、ことと
を行うように構成される、項目１１に記載のシステム。
（項目１３）
前記オブジェクトおよび前記場所のうちの前記少なくとも１つと関連付けられたプロット情報を決定するように構成される、前記制御回路はさらに、
プロット情報データベースを検索し、前記オブジェクトおよび前記場所ならびに前記選択されたフレーム内で生じる前記アクションと関連付けられたプロット情報を識別することであって、前記プロット情報は、前記選択されたフレームのプロットを説明するキーワードを含む、ことと、
前記オブジェクトおよび前記場所および前記アクションと関連付けられた共通キーワードを決定することと、
前記共通キーワードに基づいて、識別されたプロット情報を決定することと
を行うように構成される、項目１２に記載のシステム。
（項目１４）
前記選択されたフレーム内に表されるオブジェクトおよび場所のうちの少なくとも１つを識別するように構成される、前記制御回路はさらに、
前記選択されたフレーム内のキー特徴を識別することと、
前記識別されたキー特徴とオブジェクトデータベースとを比較することと、
前記比較に基づいて、前記選択されたフレーム内のオブジェクトを識別することと、
前記オブジェクトと関連付けられた場所に関して、場所データベースを検索することと、
前記オブジェクトと関連付けられた場所に基づいて、前記選択されたフレーム内の場所を識別することと
を行うように構成される、項目１１に記載のシステム。
（項目１５）
前記選択されたフレーム内に表されるオブジェクトおよび場所のうちの少なくとも１つを識別するように構成される、前記制御回路は、
前記選択されたフレーム内のキー特徴を識別することと、
前記選択されたフレームのキー特徴と場所データベースとを比較することであって、前記場所データベースは、場所の表現の分析を含む、ことと、
前記選択されたフレームのキー特徴と前記場所の表現の分析の比較に基づいて、前記選択されたフレーム内に表される場所を決定することと
を行うように構成される、項目１１に記載のシステム。
（項目１６）
前記オブジェクトおよび前記場所のうちの前記少なくとも１つと関連付けられたプロット情報を決定するように構成される、前記制御回路はさらに、
前記選択されたフレームと関連付けられたメタデータを読み出すことであって、前記メタデータは、前記選択されたフレームと関連付けられたクローズドキャプションデータおよびタグのうちの１つを含む、ことと、
前記オブジェクトおよび前記場所のうちの前記少なくとも１つならびに前記メタデータと関連付けられたプロット情報に関して、プロット情報データベースを検索することであって、前記プロット情報は、前記選択されたフレームのプロットを説明するキーワードを含む、ことと
を行うように構成される、項目１１に記載のシステム。
（項目１７）
制御回路であって、
新しい補助コンテンツを前記選択されたフレームの一部から作成することと、
前記新しい補助コンテンツを、前記オブジェクトおよび前記場所のうちの前記少なくとも１つと関連付けられた共通キーワードとともに、前記データベース内に記憶することと
を行うように構成される、制御回路
をさらに備える、項目１１に記載のシステム。
（項目１８）
前記投影デバイスに、前記メディアアセットの提示の間に前記ユーザデバイスの近傍に表示するための補助コンテンツを伝送するように構成される、前記制御回路はさらに、スピーカに、音のセットを伝送するように構成され、前記補助コンテンツは、前記ユーザデバイスの近傍に表示するための画像および前記音のセットを含む、項目１１に記載のシステム。
（項目１９）
制御回路であって、
前記メディアアセットの提示の間、次の場面を示す次のフレームを選択することと、
前記選択されたフレームおよび前記選択された次のフレームに基づいて、前記新しい場面の持続時間を決定することと
を行うように構成される、制御回路
をさらに備える、項目１１に記載のシステム。
（項目２０）
前記投影デバイスに、前記メディアアセットの提示の間に前記ユーザデバイスの近傍に表示するための補助コンテンツを伝送するように構成される、前記制御回路はさらに、前記投影デバイスに、前記新しい場面の持続時間のための補助コンテンツを伝送するように構成される、項目１９に記載のシステム。
（項目２１）
ユーザデバイス上でのメディアアセットの提示の間に前記ユーザデバイスの近傍に表示するための補助コンテンツを選択するためのシステムであって、前記システムは、
前記ユーザデバイス上での前記メディアアセットの提示の間、１つ以上のフレームを監視するための手段と、
前記メディアアセットの提示の間、前記メディアアセット内の新しい場面を示すフレームを選択するための手段と、
前記選択されたフレーム内に表されるオブジェクトおよび場所のうちの少なくとも１つを識別するための手段と、
前記オブジェクトおよび前記場所のうちの前記少なくとも１つと関連付けられたプロット情報を決定するための手段と、
データベースから、前記プロット情報に基づいて、前記メディアアセットに付随する補助コンテンツを識別するための手段と、
投影デバイスに、前記メディアアセットの提示の間に前記ユーザデバイスの近傍に表示するための補助コンテンツを伝送するための手段と
を備える、システム。
（項目２２）
前記選択されたフレーム内に表されるオブジェクトおよび場所のうちの少なくとも１つを識別するための手段は、
前記選択されたフレーム内のキー特徴を識別するための手段と、
前記識別されたキー特徴とオブジェクトデータベースとを比較するための手段と、
前記比較に基づいて、前記選択されたフレーム内のオブジェクトを識別するための手段と、
前記選択されたフレーム内のオブジェクトに基づいてアクションデータベースを検索するための手段と、
前記選択されたフレーム内で生じるアクションを識別するための手段であって、前記アクションは、前記オブジェクトと関連付けられる、手段と
を備える、項目２１に記載のシステム。
（項目２３）
前記オブジェクトおよび前記場所のうちの前記少なくとも１つと関連付けられたプロット情報を決定するための手段はさらに、
プロット情報データベースを検索し、前記オブジェクトおよび前記場所のうちの前記少なくとも１つならびに前記選択されたフレーム内で生じる前記アクションと関連付けられたプロット情報を識別するための手段であって、前記プロット情報は、前記選択されたフレームのプロットを説明するキーワードを含む、手段と、
前記オブジェクトおよび前記場所のうちの前記少なくとも１つならびに前記アクションと関連付けられた共通キーワードを決定するための手段と、
前記共通キーワードに基づいて、識別されたプロット情報を決定するための手段と
を備える、項目２２に記載のシステム。
（項目２４）
前記選択されたフレーム内に表されるオブジェクトおよび場所のうちの少なくとも１つを識別するための手段は、
前記選択されたフレーム内のキー特徴を識別するための手段と、
前記識別されたキー特徴とオブジェクトデータベースとを比較するための手段と、
前記比較に基づいて、前記選択されたフレーム内のオブジェクトを識別するための手段と、
前記オブジェクトと関連付けられた場所に関して、場所データベースを検索するための手段と、
前記オブジェクトと関連付けられた場所に基づいて、前記選択されたフレーム内の場所を識別するための手段と
を備える、項目２１に記載のシステム。
（項目２５）
前記選択されたフレーム内に表されるオブジェクトおよび場所のうちの少なくとも１つを識別するための手段は、
前記選択されたフレーム内のキー特徴を識別するための手段と、
前記選択されたフレームのキー特徴と場所データベースとを比較するための手段であって、前記場所データベースは、場所の表現の分析を含む、手段と、
前記選択されたフレームのキー特徴と前記場所の表現の分析の比較に基づいて、前記選択されたフレーム内に表される場所を決定するための手段と
を備える、項目２１に記載のシステム。
（項目２６）
前記オブジェクトおよび前記場所のうちの前記少なくとも１つと関連付けられたプロット情報を決定するための手段はさらに、
前記選択されたフレームと関連付けられたメタデータを読み出すための手段であって、前記メタデータは、前記選択されたフレームと関連付けられたクローズドキャプションデータおよびタグのうちの１つを含む、手段と、
前記オブジェクトおよび前記場所のうちの前記少なくとも１つならびに前記メタデータと関連付けられたプロット情報に関して、プロット情報データベースを検索するための手段であって、前記プロット情報は、前記選択されたフレームのプロットを説明するキーワードを含む、手段と
を備える、項目２１に記載のシステム。
（項目２７）
新しい補助コンテンツを前記選択されたフレームの一部から作成するための手段と、
前記新しい補助コンテンツを、前記オブジェクトおよび前記場所のうちの前記少なくとも１つと関連付けられた共通キーワードとともに、前記データベース内に記憶するための手段と
をさらに備える、項目２１に記載のシステム。
（項目２８）
前記投影デバイスに、前記メディアアセットの提示の間に前記ユーザデバイスの近傍に表示するための補助コンテンツを伝送するための手段はさらに、スピーカに、音のセットを伝送するための手段を含み、前記補助コンテンツは、前記ユーザデバイスの近傍に表示するための画像および前記音のセットを含む、項目２１に記載のシステム。
（項目２９）
前記メディアアセットの提示の間、次の場面を示す次のフレームを選択するための手段と、
前記選択されたフレームおよび前記選択された次のフレームに基づいて、前記新しい場面の持続時間を決定するための手段と
をさらに備える、項目２１に記載のシステム。
（項目３０）
前記投影デバイスに、前記メディアアセットの提示の間に前記ユーザデバイスの近傍に表示するための補助コンテンツを伝送するための手段はさらに、前記投影デバイスに、前記新しい場面の持続時間のための補助コンテンツを伝送するための手段を含む、項目２９に記載のシステム。
（項目３１）
非一過性機械可読媒体であって、前記非一過性機械可読媒体は、ユーザデバイス上でのメディアアセットの提示の間に前記ユーザデバイスの近傍に表示するための補助コンテンツを選択するために、前記非一過性機械可読媒体上にエンコードされた命令を備え、前記命令は、
前記ユーザデバイス上での前記メディアアセットの提示の間、１つ以上のフレームを監視するための命令と、
前記メディアアセットの提示の間、前記メディアアセット内の新しい場面を示すフレームを選択するための命令と、
前記選択されたフレーム内に表されるオブジェクトおよび場所のうちの少なくとも１つを識別するための命令と、
前記オブジェクトおよび前記場所のうちの前記少なくとも１つと関連付けられたプロット情報を決定するための命令と、
データベースから、前記プロット情報に基づいて、前記メディアアセットに付随する補助コンテンツを識別するための命令と、
投影デバイスに、前記メディアアセットの提示の間に前記ユーザデバイスの近傍に表示するための補助コンテンツを伝送するための命令と
を備える、非一過性機械可読媒体。
（項目３２）
前記選択されたフレーム内に表されるオブジェクトおよび場所のうちの少なくとも１つを識別するための命令はさらに、
前記選択されたフレーム内のキー特徴を識別するための命令と、
前記識別されたキー特徴とオブジェクトデータベースとを比較するための命令と、
前記比較に基づいて、前記選択されたフレーム内のオブジェクトを識別するための命令と、
前記選択されたフレーム内のオブジェクトに基づいてアクションデータベースを検索するための命令と、
前記選択されたフレーム内で生じるアクションを識別するための命令であって、前記アクションは、前記オブジェクトと関連付けられる、命令と
を備える、項目３１に記載の非一過性コンピュータ可読媒体。
（項目３３）
前記オブジェクトおよび前記場所のうちの前記少なくとも１つと関連付けられたプロット情報を決定するための命令はさらに、
プロット情報データベースを検索し、前記オブジェクトおよび前記場所のうちの前記少なくとも１つならびに前記選択されたフレーム内で生じる前記アクションと関連付けられたプロット情報を識別するための命令であって、前記プロット情報は、前記選択されたフレームのプロットを説明するキーワードを含む、命令と、
前記オブジェクトおよび前記場所のうちの前記少なくとも１つならびに前記アクションと関連付けられた共通キーワードを決定するための命令と、
前記共通キーワードに基づいて、識別されたプロット情報を決定するための命令と
を備える、項目３２に記載の非一過性コンピュータ可読媒体。
（項目３４）
前記選択されたフレーム内に表されるオブジェクトおよび場所のうちの少なくとも１つを識別するための命令はさらに、
前記選択されたフレーム内のキー特徴を識別するための命令と、
前記識別されたキー特徴とオブジェクトデータベースとを比較するための命令と、
前記比較に基づいて、前記選択されたフレーム内のオブジェクトを識別するための命令と、
前記オブジェクトと関連付けられた場所に関して、場所データベースを検索するための命令と、
前記オブジェクトと関連付けられた場所に基づいて、前記選択されたフレーム内の場所を識別するための命令と
を備える、項目３１に記載の非一過性コンピュータ可読媒体。
（項目３５）
前記選択されたフレーム内に表されるオブジェクトおよび場所のうちの少なくとも１つを識別するための命令はさらに、
前記選択されたフレーム内のキー特徴を識別するための命令と、
前記選択されたフレームのキー特徴と場所データベースとを比較するための命令であって、前記場所データベースは、場所の表現の分析を含む、命令と、
前記選択されたフレームのキー特徴と前記場所の表現の分析の比較に基づいて、前記選択されたフレーム内に表される場所を決定するための命令と
を備える、項目３１に記載の非一過性コンピュータ可読媒体。
（項目３６）
前記オブジェクトおよび前記場所のうちの前記少なくとも１つと関連付けられたプロット情報を決定するための命令はさらに、
前記選択されたフレームと関連付けられたメタデータを読み出すための命令であって、前記メタデータは、前記選択されたフレームと関連付けられたクローズドキャプションデータおよびタグのうちの１つを含む、命令と、
前記オブジェクトおよび前記場所のうちの前記少なくとも１つならびに前記メタデータと関連付けられたプロット情報に関して、プロット情報データベースを検索するための命令であって、前記プロット情報は、前記選択されたフレームのプロットを説明するキーワードを含む、命令と
を備える、項目３１に記載の非一過性コンピュータ可読媒体。
（項目３７）
新しい補助コンテンツを前記選択されたフレームの一部から作成するための命令と、
前記新しい補助コンテンツを、前記オブジェクトおよび前記場所のうちの前記少なくとも１つと関連付けられた共通キーワードとともに、前記データベース内に記憶するための命令と
をさらに備える、項目３１に記載の非一過性コンピュータ可読媒体。
（項目３８）
前記投影デバイスに、前記メディアアセットの提示の間に前記ユーザデバイスの近傍に表示するための補助コンテンツを伝送するための命令はさらに、スピーカに、音のセットを伝送するための命令を含み、前記補助コンテンツは、前記ユーザデバイスの近傍に表示するための画像および前記音のセットを含む、項目３１に記載の非一過性コンピュータ可読媒体。
（項目３９）
前記メディアアセットの提示の間、次の場面を示す次のフレームを選択するための命令と、
前記選択されたフレームおよび前記選択された次のフレームに基づいて、前記新しい場面の持続時間を決定するための命令と
をさらに備える、項目３１に記載の非一過性コンピュータ可読媒体。
（項目４０）
前記投影デバイスに、前記メディアアセットの提示の間に前記ユーザデバイスの近傍に表示するための補助コンテンツを伝送するための命令はさらに、前記投影デバイスに、前記新しい場面の持続時間のための補助コンテンツを伝送するための命令を備える、項目３９に記載の非一過性コンピュータ可読媒体。
（項目４１）
ユーザデバイス上でのメディアアセットの提示の間に前記ユーザデバイスの近傍に表示するための補助コンテンツを選択するための方法であって、前記方法は、
前記ユーザデバイス上での前記メディアアセットの提示の間、１つ以上のフレームを監視することと、
前記メディアアセットの提示の間、前記メディアアセット内の新しい場面を示すフレームを選択することと、
前記選択されたフレーム内に表されるオブジェクトおよび場所のうちの少なくとも１つを識別することと、
前記オブジェクトおよび前記場所のうちの前記少なくとも１つと関連付けられたプロット情報を決定することと、
データベースから、前記プロット情報に基づいて、前記メディアアセットに付随する補助コンテンツを識別することと、
投影デバイスに、前記メディアアセットの提示の間に前記ユーザデバイスの近傍に表示するための補助コンテンツを伝送することと
を含む、方法。
（項目４２）
前記選択されたフレーム内に表されるオブジェクトおよび場所のうちの少なくとも１つを識別することは、
前記選択されたフレーム内のキー特徴を識別することと、
前記識別されたキー特徴とオブジェクトデータベースとを比較することと、
前記比較に基づいて、前記選択されたフレーム内のオブジェクトを識別することと、
前記選択されたフレーム内のオブジェクトに基づいてアクションデータベースを検索することと、
前記選択されたフレーム内で生じるアクションを識別することであって、前記アクションは、前記オブジェクトと関連付けられる、ことと
を含む、項目４１に記載の方法。
（項目４３）
前記オブジェクトおよび前記場所のうちの前記少なくとも１つと関連付けられたプロット情報を決定することはさらに、
プロット情報データベースを検索し、前記オブジェクトおよび前記場所のうちの前記少なくとも１つならびに前記選択されたフレーム内で生じる前記アクションと関連付けられたプロット情報を識別することであって、前記プロット情報は、前記選択されたフレームのプロットを説明するキーワードを含む、ことと、
前記オブジェクトおよび前記場所のうちの前記少なくとも１つならびに前記アクションと関連付けられた共通キーワードを決定することと、
前記共通キーワードに基づいて、識別されたプロット情報を決定することと
を含む、項目４２に記載の方法。
（項目４４）
前記選択されたフレーム内に表されるオブジェクトおよび場所のうちの少なくとも１つを識別することは、
前記選択されたフレーム内のキー特徴を識別することと、
前記識別されたキー特徴とオブジェクトデータベースとを比較することと、
前記比較に基づいて、前記選択されたフレーム内のオブジェクトを識別することと、
前記オブジェクトと関連付けられた場所に関して、場所データベースを検索することと、
前記オブジェクトと関連付けられた場所に基づいて、前記選択されたフレーム内の場所を識別することと
を含む、項目４１−４３に記載の方法。
（項目４５）
前記選択されたフレーム内に表されるオブジェクトおよび場所のうちの少なくとも１つを識別することは、
前記選択されたフレーム内のキー特徴を識別することと、
前記選択されたフレームのキー特徴と場所データベースとを比較することであって、前記場所データベースは、場所の表現の分析を含む、ことと、
前記選択されたフレームのキー特徴と前記場所の表現の分析の比較に基づいて、前記選択されたフレーム内に表される場所を決定することと
を含む、項目４１−４４のいずれかに記載の方法。
（項目４６）
前記オブジェクトおよび前記場所のうちの前記少なくとも１つと関連付けられたプロット情報を決定することはさらに、
前記選択されたフレームと関連付けられたメタデータを読み出すことであって、前記メタデータは、前記選択されたフレームと関連付けられたクローズドキャプションデータおよびタグのうちの１つを含む、ことと、
前記オブジェクトおよび前記場所のうちの前記少なくとも１つならびに前記メタデータと関連付けられたプロット情報に関して、プロット情報データベースを検索することであって、前記プロット情報は、前記選択されたフレームのプロットを説明するキーワードを含む、ことと
を含む、項目４１−４５のいずれかに記載の方法。
（項目４７）
新しい補助コンテンツを前記選択されたフレームの一部から作成することと、
前記新しい補助コンテンツを、前記オブジェクトおよび前記場所のうちの前記少なくとも１つと関連付けられた共通キーワードとともに、前記データベース内に記憶することと
をさらに含む、項目４１−４６のいずれかに記載の方法。
（項目４８）
前記投影デバイスに、前記メディアアセットの提示の間に前記ユーザデバイスの近傍に表示するための補助コンテンツを伝送することはさらに、スピーカに、音のセットを伝送することを含み、前記補助コンテンツは、前記ユーザデバイスの近傍に表示するための画像および前記音のセットを含む、項目４１−４７のいずれかに記載の方法。
（項目４９）
前記メディアアセットの提示の間、次の場面を示す次のフレームを選択することと、
前記選択されたフレームおよび前記選択された次のフレームに基づいて、前記新しい場面の持続時間を決定することと
をさらに含む、項目４１−４８のいずれかに記載の方法。
（項目５０）
前記投影デバイスに、前記メディアアセットの提示の間に前記ユーザデバイスの近傍に表示するための補助コンテンツを伝送することはさらに、前記投影デバイスに、前記新しい場面の持続時間のための補助コンテンツを伝送することを含む、項目４９に記載の方法。
（項目５１）
ユーザデバイス上でのメディアアセットの提示の間に補助コンテンツを表示するために、前記ユーザデバイスの近傍の領域を決定するための方法であって、前記方法は、
カメラデバイスを使用して、前記ユーザデバイスの近傍の１つ以上の領域を監視することと、
前記監視に基づいて、前記ユーザデバイスの近傍の１つ以上の領域のそれぞれに対する寸法を決定することと、
前記ユーザデバイス上で提示されている前記メディアアセットの場面と関連付けられた補助コンテンツを受信することと、
前記補助コンテンツの寸法を識別することと、
前記補助コンテンツの寸法と前記１つ以上の領域のそれぞれに対する寸法とを比較することと、
前記比較に基づいて、前記１つ以上の領域のサブセットをフィルタリングすることと、
投影デバイスに、前記ユーザデバイスの近傍の前記１つ以上の領域のサブセット内に表示するための補助コンテンツを伝送することと
を含む、方法。
（項目５２）
前記ユーザデバイスの近傍の１つ以上の領域のそれぞれに対する寸法を決定することは、
前記補助コンテンツを表示するために好適な１つ以上の部分に関して、前記ユーザデバイスの近傍の１つ以上の領域を分析することと、
前記分析に基づいて、前記補助コンテンツを表示するために好適な部分を選択することと、
前記選択された部分に関する寸法を決定することであって、前記寸法は、前記１つ以上の領域のサイズ、形状、または配向のうちの１つを示す、ことと
を含む、項目５１に記載の方法。
（項目５３）
前記補助コンテンツの寸法と前記１つ以上の領域のそれぞれに対する寸法とを比較することはさらに、前記１つ以上の領域のそれぞれのサイズ、形状、および配向のうちの１つと前記補助コンテンツのサイズ、形状、および配向のうちの１つとを比較することを含む、項目５２に記載の方法。
（項目５４）
前記比較に基づいて、前記１つ以上の領域のサブセットをフィルタリングすることはさらに、
前記１つ以上の領域のうちの１つと関連付けられたオブジェクトを識別することと、
前記オブジェクトと既知のオブジェクトのデータベースからの既知のオブジェクトとを比較し、前記オブジェクトが前記補助コンテンツを表示するために利用可能であるかどうかを決定することと、
前記比較に基づいて、前記オブジェクトが前記補助コンテンツを表示するために利用可能ではないことを決定することと、
前記１つ以上の領域のうちの前記１つを前記１つ以上の領域から除去することと
を含む、項目５３に記載の方法。
（項目５５）
前記比較に基づいて、前記１つ以上の領域のサブセットをフィルタリングすることはさらに、
前記１つ以上の領域のうちの１つを識別することであって、前記１つ以上の領域のうちの前記１つのサイズ、形状、および配向のうちの１つは、前記補助コンテンツのサイズ、形状、および配向のうちの１つに合致しない、ことと、
前記１つ以上の領域のうちの前記１つを前記１つ以上の領域から除去することと
を含む、項目５３に記載の方法。
（項目５６）
前記ユーザデバイス上で提示されている前記メディアアセットの場面と関連付けられた補助コンテンツを受信することはさらに、
前記場面内に表されるオブジェクトおよび場所のうちの少なくとも１つを識別することと、
前記オブジェクトおよび前記場所のうちの前記識別された少なくとも１つに基づいて、前記場面と関連付けられたプロット情報を識別することと、
前記場面と関連付けられたプロット情報に合致する補助コンテンツに関して、補助コンテンツのデータベースを検索することと
を含む、項目５１に記載の方法。
（項目５７）
前記補助コンテンツの寸法を識別することはさらに、前記補助コンテンツのサイズ、形状、および配向のうちの１つを識別することを含む、項目５１に記載の方法。
（項目５８）
投影デバイスに、前記ユーザデバイスの近傍の前記１つ以上の領域のサブセット内に表示するために、前記補助コンテンツを伝送することはさらに、
各領域の寸法、各領域の場所、または補助コンテンツのコンテンツのうちの少なくとも１つに基づいて、前記１つ以上の領域のサブセットのそれぞれをランク付けすることと、
前記ランク付けに基づいて、前記補助コンテンツを表示するための前記１つ以上の領域のサブセットのうちの１つを決定することと、
前記１つ以上の領域のサブセットのうちの１つ上に表示するために、前記補助コンテンツを伝送することと
を含む、項目５１に記載の方法。
（項目５９）
前記投影デバイスに、前記ユーザデバイスの近傍の前記１つ以上の領域のサブセット内に表示するための補助コンテンツを伝送することはさらに、
前記補助コンテンツの複数の部分を決定することと、
前記補助コンテンツの複数の部分のそれぞれを前記１つ以上の領域のサブセットのうちの１つに合致させることと、
複数の空間のサブセットのうちの対応する１つ上に表示するために、前記補助コンテンツの複数の部分のそれぞれを生成することと
を含む、項目５１に記載の方法。
（項目６０）
投影デバイスに、前記ユーザデバイスの近傍の前記１つ以上の領域のサブセット内に表示するために、前記補助コンテンツを伝送することはさらに、前記１つ以上の領域のサブセットのそれぞれ上に表示するために、前記補助コンテンツを伝送することを含む、項目５１に記載の方法。
（項目６１）
ユーザデバイス上でのメディアアセットの提示の間に補助コンテンツを表示するために、前記ユーザデバイスの近傍の領域を決定するためのシステムであって、前記システムは、
カメラデバイスを使用して、前記ユーザデバイスの近傍の１つ以上の領域を監視することと、
前記監視に基づいて、前記ユーザデバイスの近傍の１つ以上の領域のそれぞれに対する寸法を決定することと、
前記ユーザデバイス上で提示されている前記メディアアセットの場面と関連付けられた補助コンテンツを読み出すことと、
前記補助コンテンツの寸法を識別することと、
前記補助コンテンツの寸法と前記１つ以上の領域のそれぞれに対する寸法とを比較することと、
前記比較に基づいて、前記１つ以上の領域のサブセットをフィルタリングすることと、
投影デバイスに、前記ユーザデバイスの近傍の前記１つ以上の領域のサブセット内に表示するための補助コンテンツを伝送することと
を行うように構成される、制御回路を備える、システム。
（項目６２）
前記ユーザデバイスの近傍の１つ以上の領域のそれぞれに対する寸法を決定するように構成される、前記制御回路はさらに、
前記補助コンテンツを表示するために好適ではない１つ以上の部分に関して、前記ユーザデバイスの近傍の１つ以上の領域を分析することと、
前記分析に基づいて、前記補助コンテンツを表示するために好適な部分を選択することと、
前記選択された部分に関する寸法を決定することであって、前記寸法は、前記１つ以上の領域のサイズ、形状、または配向のうちの１つを示すことと
を行うように構成される、項目６１に記載のシステム。
（項目６３）
前記補助コンテンツの寸法と前記１つ以上の領域のそれぞれに対する寸法とを比較するように構成される、前記制御回路はさらに、前記１つ以上の領域のそれぞれのサイズ、形状、および配向のうちの１つと前記補助コンテンツのサイズ、形状、および配向のうちの１つとを比較するように構成される、項目６２に記載のシステム。
（項目６４）
前記比較に基づいて、前記１つ以上の領域のサブセットをフィルタリングするように構成される、前記制御回路はさらに、
前記１つ以上の領域のうちの１つと関連付けられたオブジェクトを識別することと、
前記オブジェクトと既知のオブジェクトのデータベースからの既知のオブジェクトとを比較し、前記オブジェクトが前記補助コンテンツを表示するために利用可能であるかどうかを決定することと、
前記比較に基づいて、前記オブジェクトが前記補助コンテンツを表示するために利用可能ではないことを決定することと、
前記１つ以上の領域のうちの前記１つを前記１つ以上の領域から除去することと
を行うように構成される、項目６３に記載のシステム。
（項目６５）
前記比較に基づいて、前記１つ以上の領域のサブセットをフィルタリングするように構成される、前記制御回路はさらに、
前記１つ以上の領域のうちの１つを識別することであって、前記１つ以上の領域のうちの前記１つのサイズ、形状、および配向のうちの１つは、前記補助コンテンツのサイズ、形状、および配向のうちの１つに合致しない、ことと、
前記１つ以上の領域のうちの前記１つを前記１つ以上の領域から除去することと
を行うように構成される、項目６３に記載のシステム。
（項目６６）
前記ユーザデバイス上で提示されている前記メディアアセットの場面と関連付けられた補助コンテンツを読み出すように構成される、前記制御回路はさらに、
前記場面内に表されるオブジェクトおよび場所のうちの少なくとも１つを識別することと、
前記オブジェクトおよび前記場所のうちの前記識別された少なくとも１つに基づいて、前記場面と関連付けられたプロット情報を識別することと、
前記場面と関連付けられたプロット情報に合致する補助コンテンツに関して、補助コンテンツのデータベースを検索することと
を行うように構成される、項目６１に記載のシステム。
（項目６７）
前記補助コンテンツの寸法を識別するように構成される、前記制御回路はさらに、前記補助コンテンツのサイズ、形状、および配向のうちの１つを識別するように構成される、項目６１に記載のシステム。
（項目６８）
投影デバイスに、前記ユーザデバイスの近傍の前記１つ以上の領域のサブセット内に表示するための補助コンテンツを伝送するように構成される、前記制御回路はさらに、
各領域の寸法、各領域の場所、または補助コンテンツのコンテンツのうちの少なくとも１つに基づいて、前記１つ以上の領域のサブセットのそれぞれをランク付けすることと、
前記ランク付けに基づいて、前記補助コンテンツを表示するための前記１つ以上の領域のサブセットのうちの１つを決定することと、
前記１つ以上の領域のサブセットのうちの１つ上に表示するために、前記補助コンテンツを伝送することと
を行うように構成される、項目６１に記載のシステム。
（項目６９）
前記投影デバイスに、前記ユーザデバイスの近傍の前記１つ以上の領域のサブセット内に表示するための補助コンテンツを伝送するように構成される、前記制御回路はさらに、
前記補助コンテンツの複数の部分を決定することと、
前記補助コンテンツの複数の部分のそれぞれを前記１つ以上の領域のサブセットのうちの１つに合致させることと、
複数の空間のサブセットのうちの対応する１つ上に表示するために、前記補助コンテンツの複数の部分のそれぞれを生成することと
を行うように構成される、項目６１に記載のシステム。
（項目７０）
投影デバイスに、前記ユーザデバイスの近傍の前記１つ以上の領域のサブセット内に表示するために、前記補助コンテンツを伝送するように構成される、前記制御回路はさらに、前記１つ以上の領域のサブセットのそれぞれ上に表示するために、前記補助コンテンツを伝送するように構成される、項目６１に記載のシステム。
（項目７１）
ユーザデバイス上でのメディアアセットの提示の間に補助コンテンツを表示するために、前記ユーザデバイスの近傍の領域を決定するためのシステムであって、前記システムは、
カメラデバイスを使用して、前記ユーザデバイスの近傍の１つ以上の領域を監視するための手段と、
前記監視に基づいて、前記ユーザデバイスの近傍の１つ以上の領域のそれぞれに対する寸法を決定するための手段と、
前記ユーザデバイス上で提示されている前記メディアアセットの場面と関連付けられた補助コンテンツを受信するための手段と、
前記補助コンテンツの寸法を識別するための手段と、
前記補助コンテンツの寸法と前記１つ以上の領域のそれぞれに対する寸法とを比較するための手段と、
前記比較に基づいて、前記１つ以上の領域のサブセットをフィルタリングするための手段と、
投影デバイスに、前記ユーザデバイスの近傍の前記１つ以上の領域のサブセット内に表示するための補助コンテンツを伝送するための手段と
を備える、システム。
（項目７２）
前記ユーザデバイスの近傍の１つ以上の領域のそれぞれに対する寸法を決定するための手段は、
前記補助コンテンツを表示するために好適ではない１つ以上の部分に関して、前記ユーザデバイスの近傍の１つ以上の領域を分析するための手段と、
前記分析に基づいて、前記補助コンテンツを表示するために好適な部分を選択するための手段と、
前記選択された部分に関する寸法を決定するための手段であって、前記寸法は、前記１つ以上の領域のサイズ、形状、または配向のうちの１つを示す、手段と
を備える、項目７１に記載のシステム。
（項目７３）
前記補助コンテンツの寸法と前記１つ以上の領域のそれぞれに対する寸法とを比較するための手段はさらに、前記１つ以上の領域のそれぞれのサイズ、形状、および配向のうちの１つと前記補助コンテンツのサイズ、形状、および配向のうちの１つとを比較するための手段を備える、項目７２に記載のシステム。
（項目７４）
前記比較に基づいて、前記１つ以上の領域のサブセットをフィルタリングするための手段はさらに、
前記１つ以上の領域のうちの１つと関連付けられたオブジェクトを識別するための手段と、
前記オブジェクトと既知のオブジェクトのデータベースからの既知のオブジェクトとを比較し、前記オブジェクトが前記補助コンテンツを表示するために利用可能であるかどうかを決定するための手段と、
前記比較に基づいて、前記オブジェクトが前記補助コンテンツを表示するために利用可能ではないことを決定するための手段と、
前記１つ以上の領域のうちの前記１つを前記１つ以上の領域から除去するための手段と
を備える、項目７３に記載のシステム。
（項目７５）
前記比較に基づいて、前記１つ以上の領域のサブセットをフィルタリングするための手段はさらに、
前記１つ以上の領域のうちの１つを識別するための手段であって、前記１つ以上の領域のうちの前記１つのサイズ、形状、および配向のうちの１つは、前記補助コンテンツのサイズ、形状、および配向のうちの１つに合致しない、手段と、
前記１つ以上の領域のうちの前記１つを前記１つ以上の領域から除去するための手段と
を含む、項目７３に記載のシステム。
（項目７６）
前記ユーザデバイス上で提示されている前記メディアアセットの場面と関連付けられた補助コンテンツを受信するための手段はさらに、
前記場面内に表されるオブジェクトおよび場所のうちの少なくとも１つを識別するための手段と、
前記オブジェクトおよび前記場所のうちの前記識別された少なくとも１つに基づいて、前記場面と関連付けられたプロット情報を識別するための手段と、
前記場面と関連付けられたプロット情報に合致する補助コンテンツに関して、補助コンテンツのデータベースを検索するための手段と
を備える、項目７１に記載のシステム。
（項目７７）
前記補助コンテンツの寸法を識別するための手段はさらに、前記補助コンテンツのサイズ、形状、および配向のうちの１つを識別するための手段を含む、項目７１に記載のシステム。
（項目７８）
投影デバイスに、前記ユーザデバイスの近傍の前記１つ以上の領域のサブセット内に表示するために、前記補助コンテンツを伝送するための手段はさらに、
各領域の寸法、各領域の場所、または補助コンテンツのコンテンツのうちの少なくとも１つに基づいて、前記１つ以上の領域のサブセットのそれぞれをランク付けするための手段と、
前記ランク付けに基づいて、前記補助コンテンツを表示するための前記１つ以上の領域のサブセットのうちの１つを決定するための手段と、
前記１つ以上の領域のサブセットのうちの１つ上に表示するために、前記補助コンテンツを伝送するための手段と
を備える、項目７１に記載のシステム。
（項目７９）
前記投影デバイスに、前記ユーザデバイスの近傍の前記１つ以上の領域のサブセット内に表示するための補助コンテンツを伝送するための手段はさらに、
前記補助コンテンツの複数の部分を決定するための手段と、
前記補助コンテンツの複数の部分のそれぞれを前記１つ以上の領域のサブセットのうちの１つに合致させるための手段と、
複数の空間のサブセットのうちの対応する１つ上に表示するために、前記補助コンテンツの複数の部分のそれぞれを生成するための手段と
を備える、項目７１に記載のシステム。
（項目８０）
投影デバイスに、前記ユーザデバイスの近傍の前記１つ以上の領域のサブセット内に表示するために、前記補助コンテンツを伝送するための手段はさらに、前記１つ以上の領域のサブセットのそれぞれ上に表示するために、前記補助コンテンツを伝送するための手段を備える、項目７１に記載のシステム。
（項目８１）
非一過性機械可読媒体であって、前記非一過性機械可読媒体は、ユーザデバイス上でのメディアアセットの提示の間に補助コンテンツを表示するために、前記非一過性機械可読媒体上にエンコードされた命令を備え、システムは、
カメラデバイスを使用して、前記ユーザデバイスの近傍の１つ以上の領域を監視するための命令と、
前記監視に基づいて、前記ユーザデバイスの近傍の１つ以上の領域のそれぞれに対する寸法を決定するための命令と、
前記ユーザデバイス上で提示されている前記メディアアセットの場面と関連付けられた補助コンテンツを読み出すための命令と、
前記補助コンテンツの寸法を識別するための命令と、
前記補助コンテンツの寸法と前記１つ以上の領域のそれぞれに対する寸法とを比較するための命令と、
前記比較に基づいて、前記１つ以上の領域のサブセットをフィルタリングするための命令と、
投影デバイスに、前記ユーザデバイスの近傍の前記１つ以上の領域のサブセット内に表示するための補助コンテンツを伝送するための命令と
を含む、命令を備える、非一過性機械可読媒体。
（項目８２）
前記ユーザデバイスの近傍の１つ以上の領域のそれぞれに対する寸法を決定するための命令はさらに、
前記補助コンテンツを表示するために好適ではない１つ以上の部分に関して、前記ユーザデバイスの近傍の１つ以上の領域を分析するための命令と、
前記分析に基づいて、前記補助コンテンツを表示するために好適な部分を選択するための命令と、
前記選択された部分に関する寸法を決定するための命令であって、前記寸法は、前記１つ以上の領域のサイズ、形状、または配向のうちの１つを示す、命令と
を備える、項目８１に記載の非一過性コンピュータ可読媒体。
（項目８３）
前記補助コンテンツの寸法と前記１つ以上の領域のそれぞれに対する寸法とを比較するための命令はさらに、前記１つ以上の領域のそれぞれのサイズ、形状、および配向のうちの１つと前記補助コンテンツのサイズ、形状、および配向のうちの１つとを比較するための命令を備える、項目８２に記載の非一過性コンピュータ可読媒体。
（項目８４）
前記比較に基づいて、前記１つ以上の領域のサブセットをフィルタリングするための命令はさらに、
前記１つ以上の領域のうちの１つと関連付けられたオブジェクトを識別するための命令と、
前記オブジェクトと既知のオブジェクトのデータベースからの既知のオブジェクトとを比較し、前記オブジェクトが前記補助コンテンツを表示するために利用可能であるかどうかを決定するための命令と、
前記比較に基づいて、前記オブジェクトが前記補助コンテンツを表示するために利用可能ではないことを決定するための命令と、
前記１つ以上の領域のうちの前記１つを前記１つ以上の領域から除去するための命令と
を備える、項目８３に記載の非一過性コンピュータ可読媒体。
（項目８５）
前記比較に基づいて、前記１つ以上の領域のサブセットをフィルタリングするための命令はさらに、
前記１つ以上の領域のうちの１つを識別するための命令であって、前記１つ以上の領域のうちの前記１つのサイズ、形状、および配向のうちの１つは、前記補助コンテンツのサイズ、形状、および配向のうちの１つに合致しない、命令と、
前記１つ以上の領域のうちの前記１つを前記１つ以上の領域から除去するための命令と
を備える、項目８３に記載の非一過性コンピュータ可読媒体。
（項目８６）
前記ユーザデバイス上で提示されている前記メディアアセットの場面と関連付けられた補助コンテンツを読み出すための命令はさらに、
前記場面内に表されるオブジェクトおよび場所のうちの少なくとも１つを識別するための命令と、
前記オブジェクトおよび前記場所のうちの前記識別された少なくとも１つに基づいて、前記場面と関連付けられたプロット情報を識別するための命令と、
前記場面と関連付けられたプロット情報に合致する補助コンテンツに関して、補助コンテンツのデータベースを検索するための命令と
を備える、項目８１に記載の非一過性コンピュータ可読媒体。
（項目８７）
前記補助コンテンツの寸法を識別するための命令はさらに、前記補助コンテンツのサイズ、形状、および配向のうちの１つを識別するための命令を備える、項目８１に記載の非一過性コンピュータ可読媒体。
（項目８８）
投影デバイスに、前記ユーザデバイスの近傍の前記１つ以上の領域のサブセット内に表示するために、前記補助コンテンツを伝送するための命令はさらに、
各領域の寸法、各領域の場所、または補助コンテンツのコンテンツのうちの少なくとも１つに基づいて、前記１つ以上の領域のサブセットのそれぞれをランク付けするための命令と、
前記ランク付けに基づいて、前記補助コンテンツを表示するための前記１つ以上の領域のサブセットのうちの１つを決定するための命令と、
前記１つ以上の領域のサブセットのうちの１つ上に表示するために、前記補助コンテンツを伝送するための命令と
を備える、項目８１に記載の非一過性コンピュータ可読媒体。
（項目８９）
前記投影デバイスに、前記ユーザデバイスの近傍の前記１つ以上の領域のサブセット内に表示するための補助コンテンツを伝送するための命令はさらに、
前記補助コンテンツの複数の部分を決定するための命令と、
前記補助コンテンツの複数の部分のそれぞれを前記１つ以上の領域のサブセットのうちの１つに合致させるための命令と、
複数の空間のサブセットのうちの対応する１つ上に表示するために、前記補助コンテンツの複数の部分のそれぞれを生成するための命令と
を備える、項目８１に記載の非一過性コンピュータ可読媒体。
（項目９０）
投影デバイスに、前記ユーザデバイスの近傍の前記１つ以上の領域のサブセット内に表示するために、前記補助コンテンツを伝送するための命令はさらに、前記１つ以上の領域のサブセットのそれぞれ上に表示するために、前記補助コンテンツを伝送するための命令を備える、項目８１に記載の非一過性コンピュータ可読媒体。
（項目９１）
ユーザデバイス上でのメディアアセットの提示の間に補助コンテンツを表示するために、前記ユーザデバイスの近傍の領域を決定するための方法であって、前記方法は、
カメラデバイスを使用して、前記ユーザデバイスの近傍の１つ以上の領域を監視することと、
前記監視に基づいて、前記ユーザデバイスの近傍の１つ以上の領域のそれぞれに対する寸法を決定することと、
前記ユーザデバイス上で提示されている前記メディアアセットの場面と関連付けられた補助コンテンツを受信することと、
前記補助コンテンツの寸法を識別することと、
前記補助コンテンツの寸法と前記１つ以上の領域のそれぞれに対する寸法とを比較することと、
前記比較に基づいて、前記１つ以上の領域のサブセットをフィルタリングすることと、
投影デバイスに、前記ユーザデバイスの近傍の前記１つ以上の領域のサブセット内に表示するための補助コンテンツを伝送することと
を含む、方法。
（項目９２）
前記ユーザデバイスの近傍の１つ以上の領域のそれぞれに対する寸法を決定することは、
前記補助コンテンツを表示するために好適ではない１つ以上の部分に関して、前記ユーザデバイスの近傍の１つ以上の領域を分析することと、
前記分析に基づいて、前記補助コンテンツを表示するために好適な部分を選択することと、
前記選択された部分に関する寸法を決定することであって、前記寸法は、前記１つ以上の領域のサイズ、形状、または配向のうちの１つを示す、ことと
を含む、項目９１に記載の方法。
（項目９３）
前記補助コンテンツの寸法と前記１つ以上の領域のそれぞれに対する寸法とを比較することはさらに、前記１つ以上の領域のそれぞれのサイズ、形状、および配向のうちの１つと前記補助コンテンツのサイズ、形状、および配向のうちの１つとを比較することを含む、項目９２に記載の方法。
（項目９４）
前記比較に基づいて、前記１つ以上の領域のサブセットをフィルタリングすることはさらに、
前記１つ以上の領域のうちの１つと関連付けられたオブジェクトを識別することと、
前記オブジェクトと既知のオブジェクトのデータベースからの既知のオブジェクトとを比較し、前記オブジェクトが前記補助コンテンツを表示するために利用可能であるかどうかを決定することと、
前記比較に基づいて、前記オブジェクトが前記補助コンテンツを表示するために利用可能ではないことを決定することと、
前記１つ以上の領域のうちの前記１つを前記１つ以上の領域から除去することと
を含む、項目９３に記載の方法。
（項目９５）
前記比較に基づいて、前記１つ以上の領域のサブセットをフィルタリングすることはさらに、
前記１つ以上の領域のうちの１つを識別することであって、前記１つ以上の領域のうちの前記１つのサイズ、形状、および配向のうちの１つは、前記補助コンテンツのサイズ、形状、および配向のうちの１つに合致しない、ことと、
前記１つ以上の領域のうちの前記１つを前記１つ以上の領域から除去することと
を含む、項目９３に記載の方法。
（項目９６）
前記ユーザデバイス上で提示されている前記メディアアセットの場面と関連付けられた補助コンテンツを受信することはさらに、
前記場面内に表されるオブジェクトおよび場所のうちの少なくとも１つを識別することと、
前記オブジェクトおよび前記場所のうちの前記識別された少なくとも１つに基づいて、前記場面と関連付けられたプロット情報を識別することと、
前記場面と関連付けられたプロット情報に合致する補助コンテンツに関して、補助コンテンツのデータベースを検索することと
を含む、項目９１−９５に記載の方法。
（項目９７）
前記補助コンテンツの寸法を識別することはさらに、前記補助コンテンツのサイズ、形状、および配向のうちの１つを識別することを含む、項目９１−９６のいずれかに記載の方法。
（項目９８）
投影デバイスに、前記ユーザデバイスの近傍の前記１つ以上の領域のサブセット内に表示するための補助コンテンツを伝送することはさらに、
各領域の寸法、各領域の場所、または補助コンテンツのコンテンツのうちの少なくとも１つに基づいて、前記１つ以上の領域のサブセットのそれぞれをランク付けすることと、
前記ランク付けに基づいて、前記補助コンテンツを表示するための前記１つ以上の領域のサブセットのうちの１つを決定することと、
前記１つ以上の領域のサブセットのうちの１つ上に表示するために、前記補助コンテンツを伝送することと
を含む、項目９１−９７のいずれかに記載の方法。
（項目９９）
前記投影デバイスに、前記ユーザデバイスの近傍の前記１つ以上の領域のサブセット内に表示するための補助コンテンツを伝送することはさらに、
前記補助コンテンツの複数の部分を決定することと、
前記補助コンテンツの複数の部分のそれぞれを前記１つ以上の領域のサブセットのうちの１つに合致させることと、
複数の空間のサブセットのうちの対応する１つ上に表示するために、前記補助コンテンツの複数の部分のそれぞれを生成することと
を含む、項目９１−９８のいずれかに記載の方法。
（項目１００）
投影デバイスに、前記ユーザデバイスの近傍の前記１つ以上の領域のサブセット内に表示するために、前記補助コンテンツを伝送することはさらに、前記１つ以上の領域のサブセットのそれぞれ上に表示するために、前記補助コンテンツを伝送することを含む、項目９１−９９のいずれかに記載の方法。